(57)【特許請求の範囲】
【請求項１】
収納家具の収納家具本体における前面の収納開口を開閉自在に覆う前板は、
前板本体と、前記前板本体の側方端部に固着された側端部材とから構成され、
前記前板本体は、前記側端部材の少なくとも一端側を嵌合状態で保持するように形成された主保持部と、前記側端部材の前記一端側よりも中央に寄った部位と嵌合するように裏面に形成された副保持部と、を備え、
前記前板は、前記主保持部を介して前記前板本体と前記側端部材とを連結して一体的に構成されており、
前記収納家具本体に格納自在とされた抽斗の構成部材、もしくは前記収納開口を回動開閉して覆う前記前板を前記収納家具本体に固定する回動開閉部材が、前記側端部材と連結固定されている収納家具。
【請求項２】
前記側端部材は、前記主保持部による保持方向とは直交する方向に、前記側端部材と前記前板本体とをさらに締結する固定具と前記副保持部とを係合させる係合部を備えている請求項１に記載の収納家具。
【請求項３】
前記前板本体は、一方向に連続的に延出して形成されてなり、
少なくとも前面表面が化粧面をなし且つ前記一方向の端部が非化粧面からなり、
前記側端部材は、前記非化粧面を覆うカバー部を備えている請求項１または２に記載の収納家具。
【発明の詳細な説明】
【技術分野】
【０００１】
本発明は、収納家具に関する。
【背景技術】
【０００２】
従来より、前面が開口した収納家具本体を備えた収納家具において、その前面が木質材等からなる前板で塞がれたものが知られている。
この前板は抽斗の前板や回動開閉自在とされた扉を構成し、例えば下記特許文献１には、厨房家具用の抽斗の前板の構造が開示されている。この前板の構造は、鋼板で形成された前板本体の側端部に、樹脂材料で形成されたサイドキャップを設けた構造とされている。
【先行技術文献】
【特許文献】
【０００３】
【特許文献１】特開２００１−２１８６４２号公報
【発明の概要】
【発明が解決しようとする課題】
【０００４】
ところで、このような収納家具の前板は、抽斗の構成部材或いはヒンジ等の回動開閉部材と連結されるものであるが、上記特許文献１に記載されたものでは、抽斗の前板と側板との連結については考慮がなされておらず、更なる改善が望まれていた。特に、前板は、収納家具の構成、デザイン等に応じて多種の寸法が必要となり、また外観性も求められるため、連結のための加工の簡素化が求められていた。
【０００５】
本発明は、上記実情に鑑みなされたものであり、前板の加工の簡素化を図り得るとともに、寸法種類の多種化に対応し得る収納家具を提供することを目的としている。
【課題を解決するための手段】
【０００６】
前記目的を達成するために、本発明に係る収納家具は、収納家具の収納家具本体における前面の収納開口を開閉自在に覆う前板は、前板本体と、前記前板本体の側方端部に固着された側端部材とから構成され、前記前板本体は、前記側端部材の少なくとも一端側を嵌合状態で保持するように形成された主保持部と、前記側端部材の前記一端側よりも中央に寄った部位と嵌合するように裏面に形成された副保持部と、を備え、前記前板は、前記主保持部を介して前記前板本体と前記側端部材とを連結して一体的に構成されており、前記収納家具本体に格納自在とされた抽斗の構成部材、もしくは前記収納開口を回動開閉して覆う前記前板を前記収納家具本体に固定する回動開閉部材が、前記側端部材と連結固定されている。
【０００８】
また、本発明においては、前記側端部材は、前記主保持部による保持方向とは直交する方向に、前記側端部材と前記前板本体とをさらに締結する固定具と前記副保持部とを係合させる係合部を備えたものとしてもよい。
【０００９】
また、本発明においては、少なくとも前面表面が化粧面をなし且つ前記一方向の端部が非化粧面からなり、前記側端部材は、前記非化粧面を覆うカバー部を備えたものとしてもよい。
【発明の効果】
【００１０】
本発明に係る収納家具は、上述のような構成としたことで、前板の加工の簡素化を図ることができるとともに、寸法種類の多種化に対応することができる。
【図面の簡単な説明】
【００１１】
【図１】（ａ）は本発明の一実施形態に係る収納家具における収納家具本体の前面収納開口を覆う前板の一例を模式的に示す一部破断概略斜視図、（ｂ）は同前板の側端部材の一例を模式的に示す概略斜視図、（ｃ）は（ｂ）におけるＹ１−Ｙ１線矢視に対応させた一部破断概略斜視図である。
【図２】（ａ）は同収納家具が備える抽斗の一例を模式的に示す一部破断概略斜視図、（ｂ）は同前板を模式的に示す一部破断概略斜視図、（ｃ）は（ｂ）におけるＺ部に対応させた概略拡大縦断面図である。
【図３】（ａ）は同抽斗の前板と側板との連結を説明するための一部破断概略斜視図、（ｂ）は図１（ａ）におけるＸ−Ｘ線矢視に対応させた一部破断概略横断面図である。
【図４】同収納家具を模式的に示す概略斜視図である。
【図５】同収納家具の他の収納部の一例を模式的に示す一部破断概略斜視図である。
【図６】（ａ）は同収納部の前板の一例を模式的に示す一部破断概略斜視図、（ｂ）は図５におけるＹ２−Ｙ２線矢視に対応させた一部破断概略拡大縦断面図である。
【発明を実施するための形態】
【００１２】
以下に本発明の実施の形態について、図面に基づいて説明する。
なお、以下の実施形態において指す収納家具１の前後方向は、収納家具１の正面に対面した使用者側を収納家具１の前方、その逆側を後方とし、その前後方向に直交する方向を左右方向として説明する。
【００１３】
図１〜図６は、本実施形態に係る収納家具１を示している。
本実施形態では、収納家具１として、流し台部２と、作業台部４と、コンロ付調理台部３とを備えた厨房装置を例示している。
本実施形態に係る収納家具１は、図４に示すように、収納空間を有した収納家具本体１Ａ，１Ｂ，１Ｃと、これら複数の収納家具本体１Ａ，１Ｂ，１Ｃの上面を覆う調理台天板としてのカウンター３０とを備えている。カウンター３０には、シンク（水槽）２ａ及び加熱機器としてのコンロ３ａが組み込まれている。
【００１４】
収納家具１は、左右に配された側板５，５と、底板（不図示）と、背板（不図示）とを備え、その上部は、上述のカウンター３０が載置されて閉塞され、前面７が開口した収納開口７０を備えた略箱型形状とされている。
収納家具本体１Ａ，１Ｂ，１Ｃは、上段部と、中段部と、下段部とに収納空間が区画されている。そして、収納家具本体１Ａ，１Ｂ，１Ｃには、その前面７から収納空間内に前後方向にスライド自在に構成された収納部としての複数の抽斗８が設けられている。また、収納家具本体１Ｃの中段部と下段部とには、前面の収納開口７０（図５参照）を回動開閉自在に覆う扉９Ａを備えた収納部としての開き収納８Ａが設けられている。
なお、ここでは収納家具本体１Ａ，１Ｂ，１Ｃに抽斗８乃至は開き収納８Ａを上段、中段、下段に複数設けた例を示しているが、これに限定されるものではなく、一段のみのもの、または二段以上に区画したものとしてもよい。
【００１５】
次に収納家具本体１Ａ，１Ｂ，１Ｃに複数設けられた抽斗８のうち、一例として収納家具本体１Ｂの最下段に配された抽斗８（図４において前方に引き出された抽斗８）の構成について図１〜図３を参照して説明する。なお、以下の抽斗８の構成は、他の抽斗８にも適用してもよい。
抽斗８は、図２（ａ）及び図４に示すように、収納家具本体１Ｂにおける前面７の収納開口７０を覆う前板９と、一対の側板９２，９２と、背板９３と、底板９４とを備え、上方が開口された略箱型形状からなる。
側板９２、背板９３、底板９４の構成は、特に限定されるものではないが、ここに示す例では、側板９２と背板９３とがアルミニウム等の押し出し成型体からなり、底板９４が木質系材料からなる板体で構成された例を示している。
側板９２の上方には、前板９と背板９３との間に掛け渡されたガードパイプ９５が設けられている。
抽斗８及び収納家具本体１Ｂ内には、ガイドレールやガイド溝（いずれも不図示）が設けられ、これにより収納家具本体１Ｂの収納空間内に抽斗８を前後方向にスライド自在とすることができ、抽斗８内に収納した収納物を出し入れすることができる。
なお、ガードパイプ９５は必ずしも必要ではないが、図例のように設けたものとすれば、背の高いボトルなどを収納した際の倒れを防止するためのガードとすることができる。
【００１６】
収納家具本体１Ｂにおける前面７の収納開口７０（図４参照）を開閉自在に覆う前板９は、前板本体９０と、前板本体９０の左右の側方端部９０ａのそれぞれに固着された左右一対の側端部材９１，９１とを備えている。また、収納家具本体１Ｂに格納自在とされた抽斗８の構成部材が、側端部材９１と連結固定されている。
ここでは、側端部材９１と連結される抽斗８の構成部材の一例として抽斗８の側板９２を例にして説明するが、これに限定されず、抽斗８の構成によっては底板９４等と側端部材９１とが連結される場合にも適用することができる。例えば側端部材９１が連結される抽斗８の構成部材を底板９４とする場合には、底板９４の左右方向の各端部と左右一対の側端部材９１，９１とをそれぞれ連結固定するようにしてもよい。
このように抽斗８の構成部材（ここでは側板９２）を、前板本体９０とは別体に構成された側端部材９１と連結させる構成とすることで、前板本体９０に側板９２と連結させるための加工を不要とできる、または加工を簡素化できる。従って、前板本体９０の加工を簡素化することができ、寸法（図例では特に幅寸法）の異なる多種の前板に対応することが容易となる。
【００１７】
前板本体９０は、アルミニウム、樹脂材料、木質系材料などからなり、ここでは一例としてアルミニウムの押し出し成型により作製された前板本体９０を示している。
このように前板本体９０が押し出し成型によって形成されるものとした場合は、木質材料を用いた場合に比べて、同一断面形状で、同等品質のものを大量生産でき、コスト面で有利となる
側端部材９１は、樹脂材料などからなり、前板本体９０の側方端部９０ａの形状に合わせて形成されている。ここで、側端部材９１を例えば剛性のある樹脂成型体からなるものとすれば、側板９２との締結強度を安定させることができる。
【００１８】
前板本体９０は、所定形状に一方向に連続的に延出して形成された押し出し成型体を所定寸法に切断して形成される。
前板本体９０の少なくとも前面表面１４が化粧面をなし且つ上述の一方向の側方端部９０ａ（切断端面）は非化粧面からなり、側端部材９１は、非化粧面を覆うカバー部１７を備えている。
このように前板本体９０の側方端部９０ａが側端部材９１のカバー部１７によって覆われるので、切断端面が露出せず、見栄えのよい前板９となる。加えて、このカバー部１７は、前板本体９０の上方端部に形成された把持部９０Ａの側面カバーをも兼ねているので、より好適なものとなる。
また側端部材９１を、カバー部１７を備えたものとすることで、抽斗８との連結保持（強度）部品と化粧部品とを側端部材９１によって兼用させることができる。すなわち、別途側方端部９０ａを覆う化粧部品を取り付ける必要がなくなるので、部品点数を削減でき、組立を簡素化できる。
【００１９】
前板本体９０は、側端部材９１の一端部９１ｃａと他端部９１ｃｂ（図１（ｂ）及び（ｃ）参照）とを嵌合状態で保持するように相対して形成された一対の主保持部１０，１０を備えている。
前板９は、この主保持部１０，１０を介して前板本体９０と側端部材９１とを連結して一体的に構成されている。
また前板本体９０は、その裏面１５に、側端部材９１の一端部９１ｃａ及び他端部９１ｃｂ以外の部位で、これらよりも中央に寄った部位と嵌合する副保持部１１を備えている。
側端部材９１の一端部９１ｃａ及び他端部９１ｃｂよりも中央に寄った部位には、副保持部１１が嵌合する嵌合凹所９１ｃｅが形成されている。また、側端部材９１は、主保持部１０，１０による保持方向とは直交する方向に、側端部材９１と前板本体９０とをさらに締結するネジ等の固定具１３と副保持部１１とを係合させる係合部１６を備えている。
なお、ここでは、副保持部１１が前板本体９０の中央部９０Ｃの裏面１５に形成された例を示しているが、要は副保持部１１が上述のように側端部材９１の一端部９１ｃａ及び他端部９１ｃｂよりも中央に寄った部位と嵌合するように形成されていればよい。
【００２０】
さらに詳しく前板本体９０及び側端部材９１の構成を説明する。
なお、前板本体９０及び側端部材９１の形状等はこれに限定されるものではなく、図例のものは一例にすぎない。また図中、１４は前板本体９０の前面表面、１５は前板本体９０の裏面を示している。さらに図２（ｂ）及び図３（ａ）では側端部材９１の内部構造を示すため、断面図で示しているが、図１（ａ）及び図２（ａ）に示すように側端部材９１の内部構造が露出しないよう覆われた端面としてもよい。
前板本体９０は、その断面が図２等に示すように複数の断面略ロの字状部位や略コの字状部位を有している。
前板本体９０の上方端部は、抽斗８を前後方向にスライド移動させる際の把持部９０Ａが形成されており、指先を引掛けやすいように鉤状（略逆Ｊ字状）に形成されている。
把持部９０Ａの下方には、断面略ロの字状の中空体とされた第１嵌合部９０Ｂを有し、この第１嵌合部９０Ｂの裏面１５には、ガードパイプ９５を側端部材９１に対して連結固定するための固定具が挿通される挿通孔９０ｂが形成されている。
【００２１】
第１嵌合部９０Ｂの裏面１５下方側には、側端部材９１の一端部９１ｃａを嵌合状態で保持するように形成された主保持部１０が形成されている。
主保持部１０は、側端部材９１の一端部９１ｃａと嵌合され、この一端部９１ｃａを上方側から包持して保持できるように下向きに開口した断面略コの字形状とされている。
第１嵌合部９０Ｂの下方には、薄板状の中央部９０Ｃを備え、中央部９０Ｃの裏面１５には側端部材９１，９１間を連結するように副保持部１１が設けられている。
副保持部１１は、図２に示すように、薄板状とされた中央部９０Ｃの裏面１５から後方に向けて突出するように形成され、断面略鉤状とされている。この副保持部１１は、図２（ｃ）に示すように、固定具１３が捩じ込まれる孔部１１ａを有した断面略円形状の部位とこれに連成され、上方または下方（図例では下方）に向けて突出した突片部１１ｂとを備え、側端部材９１の連結固定部９１Ｃに形成された嵌合凹所９１ｃｅと嵌合する。
また副保持部１１は、薄板状とされた中央部９０Ｃの裏面１５に、一方向（図例では幅方向、上記押出方向と同方向）に沿って形成されているので、側端部材９１との連結によって、前板本体９０の強度を向上させることができる。
【００２２】
中央部９０Ｃの下方には、底板９４の前板９側の端部（前端部）を係止する第２嵌合部９０Ｄを備えており、この第２嵌合部９０Ｄは、断面略ロの字状の中空体とされている。第２嵌合部９０Ｄの裏面１５には、後方に向けて突出した突起部９０ｄａが幅方向に沿って形成されており、この突起部９０ｄａに、底板９４の前端部が係止する。
また第２嵌合部９０Ｄの裏面１５上方側には、第１嵌合部９０Ｂに形成された主保持部１０と一対をなす主保持部１０が、第１嵌合部９０Ｂの主保持部１０と相対するようにして形成されている。
第２嵌合部９０Ｄに形成された主保持部１０は、側端部材９１の他端部９１ｃｂを嵌合状態で保持するように形成されている。
この第２嵌合部９０Ｄの主保持部１０は、側端部材９１の他端部９１ｃｂと嵌合され、この他端部９１ｃｂを下方側から包持して保持できるように上向きに開口した断面逆略コの字形状とされている。
このように主保持部１０，１０が向かい合うように形成され、側端部材９１の一端部９１ｃａと他端部９１ｃｂとを上下から挟み込むように嵌合するので、別体に構成される前板本体９０と側端部材９１との連結強度を向上させることができる。
【００２３】
またこの例では、第２嵌合部９０Ｄに嵌合する側端部材９１の部分に固定される固定具１９が挿通される挿通孔９０ｄｂ（図２（ｂ）参照）が形成されている。
これら前板本体９０の第１嵌合部９０Ｂ、中央部９０Ｃ及び第２嵌合部９０Ｄは前面表面１４からみたときには面一の平滑面とされている。
また、この第２嵌合部９０Ｄの下方には、上記平滑面よりも後方側に後退するように形成された下端部９０Ｅが設けられており、この下端部９０Ｅの前方空間が収納家具１の蹴込み空間の一部となる。また、この下端部９０Ｅは、後方に開口した断面略コの字形状とされている。
【００２４】
側端部材９１は、前板本体９０の側方端部９０ａを覆うカバー部１７と側方端部９０ａに取り付けられ固定される取付部１８とを備えている。
ここで図１（ｂ）は側端部材９１をカバー部１７側からみた概略斜視図、図１（ｃ）は側端部材９１を取付部１８側からみた一部破断概略斜視図を示している。
側端部材９１のカバー部１７は、前板本体９０の側方端部９０ａの外形に合わせて形成されており、カバー部１７の略中央には、副保持部１１の形成位置に合わせて形成された挿通孔とされた係合部１６が形成されている（図１（ｂ）参照）。
側端部材９１の取付部１８の上方端部には、前板本体９０の把持部９０Ａの鉤状（略逆Ｊ字状）形状に合わせて形成された係合部９１ａａを有した上端嵌入部９１Ａが設けられている。この係合部９１ａａは、前板本体９０の把持部９０Ａの鉤状の内方空間に嵌入される。またこの係合部９１ａａの下方には、前板本体９０の把持部９０Ａの裏面１５に沿うように突出した浮き上がり防止片９１ａｂが設けられている。これら係合部９１ａａと浮き上がり防止片９１ａｂとは、これらによって前板本体９０の把持部９０Ａを挟み込むように設けられている。
【００２５】
上端嵌入部９１Ａの下方には、前板本体９０の断面略ロの字状とされた第１嵌合部９０Ｂの内側面に嵌合される第１嵌入部９１Ｂが設けられている。
この第１嵌入部９１Ｂには、第１嵌合部９０Ｂの裏面１５の挿通孔９０ｂと連通するように設けられた支持孔部９１ｂが形成されている。図例では、この支持孔部９１ｂは、図１（ｃ）に示すように、中空状に形成された第１嵌入部９１Ｂの裏面側から前方に向けてボス状に突出するように形成された円筒体とされている。
【００２６】
第１嵌入部９１Ｂの下方には、前板本体９０の一対の主保持部１０，１０に嵌合する一端部９１ｃａ及び他端部９１ｃｂを備えた連結固定部９１Ｃが設けられている。
この連結固定部９１Ｃは、前板本体９０の側方側部９０ａに取り付けられた状態において、前板本体９０の裏面１５に露出する露出面９１ｃｄを備えている。
図１（ａ）に示すようにこの露出面９１ｃｄは、前板本体９０の第１嵌合部９０Ｂ及び第２嵌合部９０Ｄの裏面１５と略面一となるように形成されている。また、前板本体９０に取り付けられた状態では、略矩形状の面が前板本体９０の第１嵌合部９０Ｂと第２嵌合部９０Ｄとの間に露出し、第１嵌合部９０Ｂと第２嵌合部９０Ｄとの間に挟まれた状態となる。
連結固定部９１Ｃの露出面９１ｃｄの略中央には、上記同様の円筒体形状とされた支持孔部９１ｃｃが形成されている。
【００２７】
また、連結固定部９１Ｃの上端部及び下端部は、露出面９１ｃｄから段落ち状に形成され、これらが前板本体９０の一対の主保持部１０，１０にそれぞれ嵌合する一端部９１ｃａ及び他端部９１ｃｂとなる。つまり、連結固定部９１Ｃの露出面９１ｃｄの部位よりも上端部及び下端部を薄く形成するようにして、上端部及び下端部に突部をそれぞれに設け、この突部が一対の主保持部１０，１０にそれぞれ嵌合する一端部９１ｃａ及び他端部９１ｃｂとなる。
また連結固定部９１Ｃの露出面９１ｃｄに対してその裏側、すなわち前板本体９０の中央部９０Ｃの裏面１５と当接する側には、中央部９０Ｃの裏面に形成された副保持部１１と嵌合する嵌合凹所９１ｃｅが形成されている。この嵌合凹所９１ｃａは、図２（ｃ）に示すように、前板本体９０の裏面１５に向けて開口し、断面略鉤形状とされた副保持部１１を包持するように嵌合する形状とされている。この嵌合凹所９１ｃａは、副保持部１１の断面略円形状の部位に嵌合する断面略半円形状の凹所と、副保持部１１の突片部１１ｂを受け入れる凹溝部１１ｃｈとを有している。このように、前板本体９０の一対の主保持部１０，１０の間に副保持部１１を設け、側端部材９１に、嵌合凹所９１ｃａを設けることで、側端部材９１の中央部位等における浮き等を防止することができる。つまり、副保持部１１の突片部１１ｂが嵌合凹所９１ｃａの凹溝部１１ｃｈに嵌合して係止し、バタツキや浮き等を防止することができる。
側端部材９１の係合部１６は、図１（ｂ）及び図２（ｃ）に示すように、この嵌合凹所９１ｃａに対応させた位置に設けられており、嵌合凹所９１ｃａと嵌合状態とされた副保持部１１の孔部１１ａと連通するようにカバー部１７に設けられた挿通孔とされている。
これにより副保持部１１に対して、ネジなどの固定具１３を、係合部１６を介して螺入させることができるので、別体で構成された側端部材９１と前板本体９０との締結強度をより一層向上させることができる。
【００２８】
連結固定部９１Ｃの下方には、前板本体９０の断面略ロの字状とされた第２嵌合部９０Ｄの内側面に嵌合されるよう形成された第２嵌入部９１Ｄが設けられている。
この第２嵌入部９１Ｄには、第２嵌合部９０Ｄの裏面１５の挿通孔９０ｄｂと連通するように設けられた支持孔部９１ｄが形成されている。この支持孔部９１ｄは、上記同様の円筒体形状とされている。
この第２嵌入部９１Ｄの下方には、前板本体９０の断面略コの字状とされた下端部９０Ｅに嵌め入れられる下端嵌入部９１Ｅが設けられている。
【００２９】
上記構成とされた前板本体９０と側端部材９１とは、以下のように組み付けるようにしてもよい。
側端部材９１の各嵌入部９１Ａ、９１Ｂ、９１Ｄ及び９１Ｅを前板本体９０の対応する部位に嵌入させる。また、側端部材９１の一端部９１ｃａ及び他端部９１ｃｂと前板本体９０の主保持部１０，１０とを嵌合させ、側端部材９１の嵌合凹所９１ｃｅと前板本体９０の副保持部１１とを嵌合させる。さらに、側端部材９１の係合部１６を介して固定具１３を、前板本体９０の副保持部１１に対して螺入させることで、前板本体９０と側端部材９１とを組み付けて、前板９を形成するようにしてもよい。
【００３０】
次に、前板９の側端部材９１と抽斗８の構成部材としての側板９２との連結構造について説明する。この連結構造としては特に限定されるものではないが、ここでは、連結具１２を介してこれらを連結固定した例を説明する。
図例の連結具１２は、図１（ａ）及び図３に示すように、側端部材９１の連結固定部９１Ｃに固定具１９によって取り付けられるプレート状の支持部１２ｄを備えている。
この支持部１２ｄの上端部には、側端部材９１の連結固定部９１Ｃに設けられた支持孔部９１ｃｃに対応させた貫通孔が設けられおり、この貫通孔には、図３（ｂ）に示すように、固定具１９が捩じ込まれるアンカー部材１２ｅが取り付けられている。このアンカー部材１２ｅは、例えば樹脂製とされ、略円柱形状とされた樹脂アンカープラグダボとされており、その外周には、抜止の複数の爪状段部が形成されている。また、このアンカー部材１２ｅには、固定具１９の捩じ込みにより半径方向に拡開するように切り込みが形成されている。
このようなアンカー部材１２ｅを備えた連結具１２の支持部１２ｄは、アンカー部材１２ｅを側端部材９１の支持孔部９１ｃｃに嵌め込み、固定具１９をアンカー部材１２ｅに対して捩じ込むことで、側端部材９１に対して強固に固定することができる。つまり、固定具１９の捩じ込みに伴い、アンカー部材１２ｅが半径方向に拡開し、円筒形状とされた支持孔部９１ｃｃの内周面に圧接し、連結具１２の支持部１２ｄが側端部材９１に対して強固に固定される。
【００３１】
また、連結具１２の支持部１２ｄには、取付状態において、収納空間側（背板９３側）に突出した突出片１２ａが連成されている。この突出片１２ａには、ネジ等の締結具１２ｃと螺合する雌ネジ孔が設けられており、この雌ネジ孔に螺合する締結具１２ｃを介し、この突出片１２ａと対向するように可動片１２ｂが設けられている。この可動片１２ｂには、締結具１２ｃが挿通される挿通孔が設けられており、これら突出片１２ａと可動片１２ｂとによって側板９２の前端部９２ａを挟み込むようにして保持し、側板９２が連結具１２を介して側端部材９１に連結固定される。
【００３２】
なお、上記では、連結具１２の支持部１２ｄの上端部と側端部材９１の連結固定部９１Ｃとの連結部位について説明したが、連結具１２の支持部１２ｄの下端部と側端部材９１の第２嵌入部９１Ｄとの連結部位についても概ね同様である。つまり、上記同様のアンカー部材１２ｅが、前板本体９０の第２嵌合部９０Ｄの裏面１５に設けられた挿通孔９０ｄｂを介して、側端部材９１の第２嵌入部９１Ｄの支持孔部９１ｄに嵌め込まれる。
また、上記では、側板９２と側端部材９１との連結構造について説明したが、上述したガードパイプ９５と側端部材９１との連結構造についても概ね同様の連結構造とされている。つまり、ガードパイプ９５の前端部９５ａに上記と概ね同様のアンカー部材が設けられており、このアンカー部材が、前板本体９０の第１嵌合部９０Ｂの裏面１５に設けられた挿通孔９０ｂを介して、側端部材９１の第１嵌入部９１Ｂの支持孔部９１ｂに嵌め込まれる。
なお、ここに用いられる連結具１２の構成は、図例のものに限定されるものではなく、ネジ等の固定具を支持孔部に対して直接螺合させて締結するようにしてもよく、また、汎用の他の連結具を用いるようにしてもよい。
【００３３】
次に、本実施形態に係る収納家具１の収納家具本体１Ｃに設けられた開き収納８Ａについて、図５及び図６に基づいて説明する。
なお、上述の抽斗８との相違点について主に説明し、同様の構成については、同一符号を付し、その説明を省略または簡略に説明する。
【００３４】
開き収納８Ａは、収納家具本体１Ｃ（図４参照）の収納開口７０を回動開閉して覆う前板９Ａを備え、この前板９Ａを収納家具本体１Ｃ（ここでは側板９２）に固定する回動開閉部材２０が、側端部材９１０と連結固定されている。
すなわち、上述の抽斗８では側端部材９１が抽斗８を構成する側板９２と連結されている例を説明したが、ここでは、側端部材９１０が回動開閉部材２０と連結され、前板９Ａが回動して開閉する扉として構成されている点が異なる。
回動開閉部材２０は、特に限定されるものではなく、図例では回動開閉部材２０をヒンジ体（スライド蝶番）とした場合を説明するが、扉の開閉構造にあわせて跳ね上げ扉のアームや羽根蝶番等の他の回動開閉部材を採用するようにしてもよい。
【００３５】
前板９Ａは、前板本体９００と、前板本体９００の側方端部９０ａに固着された側端部材９１０とから構成されている。また、この前板９Ａは、前板本体９００とは別体に構成された側端部材９１０に連結固定された複数個（図例では二個）の回動開閉部材２０を介して収納家具本体１Ｃの側板９２に回動開閉自在に固定されている。
なお、図５では、左右の側板９２、背板９３、底板９４及び天板９６によって略箱型形状とされた収納空間を縦に切断した断面斜視図を示しており、一方の側板９２のみを示している。
また、前板本体９００の反回動開閉部材２０側の側方端部９０ａの図示を省略しているが、ここにも回動開閉部材２０側と同様の側端部材９１を取り付けるようにしてもよい。または反回動開閉部材２０側の側方端部９０ａにはこれを覆うカバー部材を取り付けるようにしてもよい。
【００３６】
前板本体９００は、本例では、上端の把持部９０Ａの下方に、下向きに開口した断面略逆コの字状に形成された第１嵌合部９０Ｂを有し、この第１嵌合部９０Ｂには、側端部材９１の一端部９１ｃａを嵌合状態で保持する主保持部１０が形成されている。
第１嵌合部９０Ｂの下方には、薄板状の中央部９０Ｃを備え、中央部９０Ｃの裏面１５には側端部材９１，９１間を連結するように形成された複数本（図例では、二本）の上記同様の副保持部１１が間隔を空けて平行に形成されている。これら副保持部１１，１１は、図例では、側端部材９１に連結固定される回動開閉部材２０の近傍部位に形成されている。
中央部９０Ｃの下方には、上向きに開口した断面略逆コの字状に形成された主保持部１０を有した第２嵌合部９０Ｄが設けられている。
【００３７】
側端部材９１０は、前板本体９００の第１嵌合部９０Ｂの主保持部１０に嵌合する第１嵌入部９１Ｂを上部側に有し、本例では、この第１嵌入部９１Ｂが主保持部１０に嵌合する一端部９１ｃａとなる。第１嵌入部９１Ｂの下方には、回動開閉部材２０が取り付けられる連結固定部９１Ｃが設けられており、この連結固定部９１Ｃの下端部が前板本体９００の第２嵌合部９０Ｄの主保持部１０に嵌合する他端部９１ｃｂとなる。この連結固定部９１Ｃの下方には、前板本体９００の第２嵌合部９０Ｄに嵌合する上記同様の第２嵌入部９１Ｄが設けられている。
連結固定部９１Ｃには、前板本体９００の中央部９０の裏面に形成された二本の副保持部１１，１１とそれぞれに嵌合する上記同様の嵌合凹所９１ｃｅ，９１ｃｅが形成されている。
【００３８】
連結固定部９１Ｃの露出面９１ｃｄの上下端部には、図６（ａ）に示すように、回動開閉部材２０が固定される固定孔部９１ｃｆ，９１ｃｇが回動開閉部材２０の構造に応じて形成されている。連結固定部９１Ｃは、断面略ロの字状乃至は略コの字状の中空形状とされているが、固定孔部９１ｃｆ，９１ｃｇの形成部位は、上記した例の支持孔部と同様の円筒形状とされている。
固定孔部９１ｃｆ，９１ｃｇは、図例では、スライド蝶番とされた回動開閉部材２０のカップ部２０ａが嵌め込まれるようにして取り付けられるカップ孔部９１ｃｆと、固定具２０ｄが捩じ込まれる固定具孔部９１ｃｇとを備えている。なお、この固定具２０ｄを上記した例のようにアンカー部材を設けたものとし、固定具孔部９１ｃｇにアンカー部材が嵌め込まれるものとしてもよい。
【００３９】
回動開閉部材２０は、図５に示すように、側端部材９１０の連結固定部９１Ｃに連結固定されるカップ部２０ａと、このカップ部２０ａに対して回動自在とされたリンク部材等からなる蝶番本体部２０ｂと、この蝶番本体部２０ｂに連結されるとともに、側板９２に固定される蝶番台座２０ｃとを備えている。
この回動開閉部材２０の側端部材９１０への連結固定は、図６（ｂ）に示すように、カップ部９０ａを側端部材９１０のカップ孔部９１ｃｆに埋め込むようにして固定する。またカップ部２０ａに連成されたプレート状の取付片に設けられた固定具２０ｄの挿通孔を介して、固定具２０ｄを、側端部材９１０の固定具孔部９１ｃｇに捩じ込むことで、強固に連結固定することができる。
【００４０】
上記のように側端部材９１０に回動開閉部材２０が連結固定された前板９Ａは、回動開閉部材２０の蝶番本体部２０ｂを、側板９２に固定された蝶番台座２０ｃに連結することで、側板９２に対して回動開閉自在に取り付けられる。
【００４１】
なお、上記した例では、前板本体に、側端部材の一端部及び他端部を嵌合状態に保持する一対の主保持部を設けた例を示しているが、このような態様に限られない。側端部材の少なくとも一端側を嵌合状態で保持するように形成された主保持部を前板本体に設けるようにすればよい。この場合、側端部材の他端側は、固定具によって前板本体に対して固定するようにしてもよい。
また、上記した例では、前板本体の左右の側方端部に一対の側端部材を固着した例を示しているが、抽斗のスライド態様や、開閉扉の形状等によっては、側端部材を前板本体の上方端部及び下方端部のそれぞれに設けるようにしてもよい。
また、側端部材は、前板本体を挟んで両側方端部（左右または上下の側方端部）に設ける必要はなく、前板を開閉扉とする場合は、少なくとも回動開閉部材が設けられる側に側端部材を固着させるようにしてもよい。
さらに、上述の実施形態では、収納家具として、複数の収納家具本体の上部に一枚のカウンターを載置して、流し台部、作業台部、及びコンロ付調理台部を備えた厨房装置を例示しているが、これに限定されるものではない。また収納家具としては、厨房装置として用いられるものだけでなく、リビングや玄関などに設置される収納家具にも適用できる。
また前板本体の構成も図例に限定されるものではなく、例えば木質系材料とした場合は、化粧シート層などを備えた層構造のものを採用することもできる。前板本体に形成される主保持部、副保持部の形状、構成も図例に限定されるものではない。例えば副保持部の形成本数も前板の形状や大きさによって適宜形成される。
【符号の説明】
【００４２】
１                収納家具
１Ａ，１Ｂ，１Ｃ  収納家具本体
１０              主保持部
１１              副保持部
１６              係合部
１７              カバー部
２０              回動開閉部材
７                前面
７０              収納開口
８                抽斗
９，９Ａ          前板
９０，９００      前板本体
９０ａ            側方端部
９１，９１０      側端部材
９２              側板（抽斗の構成部材）
【図１】
0005571459.tif 000002
【図２】
0005571459.tif 000003
【図３】
0005571459.tif 000004
【図４】
0005571459.tif 000005
【図５】
0005571459.tif 000006
【図６】
0005571459.tif 000007